(57)【特許請求の範囲】
【請求項１】
少なくとも前後一対の針床を備え、何れか一方または双方の針床が左右にラッキング可能に構成され、前後針床間で編目の受け渡しが可能な横編機を使用し、前身頃を第１の針床上に付属させ、後身頃を第２の針床上に付属させ、前身頃と後身頃が編み幅の両端で接続された筒状体として編成されるニットウエアを裾から肩方向に向かって編成し、その間に前身頃の衿ぐり形成開始箇所以降において前身頃を衿ぐりの右側と左側とに分岐させて編成するとともに、衿ぐり周縁の編目を順次編成から外して不作用状態としていく引き返し編みを所定回数繰り返して円弧状の切欠部を形成しながら前身頃と後身頃を肩まで編成した後、肩部において前身頃と後身頃を接合し、前記形成した衿ぐりに続いて衿を形成するニットウエアの編成方法において、以下のステップを含むことを特徴とする衿の編成方法：
ａ）  前身頃の衿ぐり形成時に十分な前下がりが形成できる数のウエールを導入して前身頃の衿ぐりを編成するステップ、
ｂ）  上記衿ぐりを形成した後、前衿ぐりに対峙して概ね同じ数のウエールが後身頃の衿ぐりに残るように肩部において前身頃と後身頃の接合させるステップ、
ｃ）  後衿ぐりの編目を目移しにより隣接する同じ後衿ぐりの編目に重ねることで後衿ぐりのウエール数を減少させるステップ、
ｄ）  上記ステップｃの編成の間に前衿ぐり両側端の少なくとも１つの編目をウエール数が減少した後衿ぐりを係止する針床側に送りこむようにして前後針床間で係止する衿ぐりのウエール数の差が大きくならないようにするステップ、
ｅ）  上記ステップａ）〜ｄ）により形成された衿ぐりに続いて衿を編成するステップ。
【請求項２】
上記後衿ぐりのウエール数の減少させる編成は、まず衿ぐりの左右一方側が処理され、続いて他方側が処理されるように行い、この衿ぐりの一方側で後衿ぐりのウエール数が減少される際に、他方側において前衿ぐりの側端の編目が後衿ぐりを係止する針床へ一時的に送り、ラッキングにより他方側において前衿ぐりと後衿ぐりの側端の編目が大きく離間し負荷がかかるのを防ぐ編成が挿入されることを特徴とする請求項１に記載の横編機によるニットウエアの衿首部編成方法。
【請求項３】
裾から肩方向に向かって前身頃と後身頃が編み幅の両端で接続された筒状体として編成され、前身頃は衿ぐり形成開始箇所以降において分岐して編まれた左右の前身頃を有するとともに前衿ぐりが引き返し編みにより円弧状の切欠部として編まれ、肩部において前身頃と後身頃が接合され、前記前身頃に形成される前衿ぐりと後身頃に形成される後衿ぐりに続いて衿を筒状に連編した横編機によって編まれたシームレスニットウエアにおいて、前記前衿ぐりに対峙して前衿ぐりと概ね同じ数のウエールで後身頃の後衿ぐりが形成され、該後衿ぐりは隣接する編目同士が目移しにより重ねられウエール数が減少されていることを特徴とする横編機によって編まれたシームレスニットウエア。
【発明の詳細な説明】
技術分野
本発明は、横編機を用いて編成されるニットウエアの衿首部の編成方法およびそのような編成方法により編まれるニットウエアに関する。
背景技術
横編機を用いてベストやセーター等のニットウエアを編成する場合に、身頃と両袖とを筒状に脇下まで編成し、脇下から肩にかけて身頃と両袖を接続して１つの筒状体として編成しながら、両袖の編目を身頃側に移動させて身頃の編目と重ねることで筒状体の口径を小さくしていき編み工程の後の縫製を簡略ないし省略できる。このような編成技術（以下、シームレスニットという）について本願出願人は特開平２−９１２５４、特開平２−２２９２４８、特開平４−２０９８５５および特開平４−１５３３４６などを含め、多数を提案している。
図９は、シームレスニットによる従来のセーターを構成する身頃と袖の型紙（編目配列）を示したもので、上がセーター着用時に後側に現れる後側部分となる後身頃１０２ｂと両袖の後部１０４ｂ，１１４ｂを示し、下は着用時に前側に現れる前側部分で前身頃１０２ａと両袖の前部１０４ａ，１１４ａを示す。なお、後述する右前身頃１１５ａや右袖１１４などの各部位を示す際に使う右・左はセーター着用時の着用者を基準に表す。
セーターは脇下部において前身頃１０２ａの各点Ａ，ａは、前袖部１０４ａ，１１４ａの各点Ｐ，ｐと接合され、後身頃１０２ｂの各点Ｈ，ｈは後袖部１０４ｂ，１１４ｂの各点Ｓ，ｓと接合される。前身頃１０２ａの線Ａ−Ｆ−Ｂと袖１０４ａの線Ｐ−Ｑ、前身頃１０２ａの線ａ−ｆ−ｂと袖１１４ａの線ｐ−ｑが接合される。同様に後身頃１０２ｂの線Ｈ−Ｉと袖１０４ｂの線Ｓ−Ｔが接合され、後身頃１０２ｂの線ｈ−ｉと袖１１４ｂの線ｓ−ｔが接合される。線Ｃ−Ｄ−Ｅ−ｅ−ｄ−ｃは円弧状に切欠いた前衿ぐり１１０ａで、これに対峙して後身頃１０２ｂのＪ−ｊ間に同じウエール数（編み幅）の後衿ぐり１１０ｂを有する。前衿ぐり１１０ａは、衿ぐりの形成が開始されるＥ，ｅ以降において右前身頃１１５ａと左前身頃１０５ａとに分岐して肩まで編成される。その際、衿ぐり周縁の編目を順次編成から外して不作用状態としていく引き返し編みを繰り返し行うことで前衿ぐり１１０ａに円弧状の切欠部が形成される。
この前衿ぐり１１０ａに形成される円弧状の切欠きは前下がりと呼ばれ、後身頃１０２ｂに対しても同様に後下がりを形成することがある。前下がりは引き返し編みの回数が多いほど大きく形成できる。肩部において前身頃１０２ａの線Ｂ−Ｃと後身頃１０２ｂの線Ｉ−Ｊが伏目処理により接合される。同様に前身頃１０２ａの線ｂ−ｃと後身頃１０２ｂの線ｉ−ｊが接合される。そして先に形成した衿ぐりに続いて衿１０８ａ，１０８ｂを編成することでセーター１００の編成を終了する。
ところが上記のように編成されたニットウエアでは、円弧状に切り欠いて形成される前衿ぐり１１０ａのウエール数は、前下がりの量に関係なく後衿ぐり１１０ｂのウエール数と同じである。そのため前衿１０８ａの編み幅は前衿ぐり１１０ａの周長よりも短いものとなるため衿１０８が突っ張ってしまい、せっかく形成した前下がりが上へ浮いてしまい期待通りの前下がりを得ることができない。また衿幅が十分にとれないので着用の際に衿ぐり１１０に頭が通し難いものとなってしまう。そこで衿ぐり１１０ａ，１１０ｂの各Ｃ−ｃ間、Ｊ−ｊ間のウエール数が多くなるように衿ぐり１１０のデザインを変更すれば衿ぐり１１０に頭を通しやすくはなるが、ウエール数が増えた分肩先方向に大きく開いた衿ぐり１１０となってしまい、ファッション性に問題がでた。
本願出願人は、特開平４−２１４４８号公報に横編機を用いて前身頃の衿ぐりのウエール数を増やすとともに十分な前下がりを形成する編成方法を先に提案した。これはニットウエアの１パーツとして編成される前身頃に対する編成方法であり、前身頃の衿ぐり形成開始箇所以降において、前右身頃と前左身頃に分岐して編成し、その編成の過程において衿ぐり周縁に沿って増し目を行うとともに、各左右の前身頃の編目を外側に移動させる編成を繰り返しながら前身頃を肩まで編成するものである。衿ぐりをこのようにして形成することで衿ぐりのウエール数が増やされ、その結果、これに続けて編まれる衿は衿幅の広いものとなり、衿が突っ張らないので前下がりが形成される。このように編まれた前身頃を他のパーツと縫製してセーターを製造すればファッション性が高く、着用時に容易に頭を衿ぐりに通せて着心地の良いニットウエアができる。
しかし、衿の衿幅が広く衿ぐりに前下がりが付いたニットウエアをシームレスニットする場合、例えばベストを編成する場合に、前身頃だけでなくこれに対峙して並行に且つ一体に編まれる後身頃との関係を考慮しながら編成しなければならず先の特開平４−２１４４８号公報に記載の編成方法を適用することは困難となる。セーターやカーディガンの場合では身頃の両側に袖を配置して編成するので、これら各パーツ同士の左右、前後の配置と、前身頃に衿ぐりを形成し、且つこれを外側に移動させながら他のパーツと如何に一体に編成するかを考慮する必要があり、更に困難となる。また上記公報に記載の編成方法では、右前身頃と左前身頃を引き返し編成しながら更に目移しして外側に移動させているため編地の引き下がりが悪く引き返し編成の回数に制限があり十分な前下がりを得ることができない場合がある。
本発明は、横編機を用いてシームレスニットされるセーター等のニットウエアの衿ぐりに十分な下がりが形成され、ファッション性が高い衿をもつニットウエアを比較的簡単な方法により編成する方法とそのような衿が形成されたニットウエアを提供することを目的とする。
発明の開示
本発明では、少なくとも前後一対の針床を備え、何れか一方または双方の針床が左右にラッキング可能に構成され、前後針床間で編目の受け渡しが可能な横編機を使用し、前身頃を第１の針床上に付属させ、後身頃を第２の針床上に付属させ、前身頃と後身頃が編み幅の両端で接続された筒状体として編成されるニットウエアを裾から肩方向に向かって編成し、その間に前身頃の衿ぐり形成開始箇所以降において前身頃を衿ぐりの右側と左側とに分岐させて編成するとともに、衿ぐり周縁の編目を順次編成から外して不作用状態としていく引き返し編みを所定回数繰り返して円弧状の切欠部を形成しながら前身頃と後身頃を肩まで編成した後、肩部において前身頃と後身頃を接合し、前記形成した衿ぐりに続いて衿を形成するニットウエアの編成方法において、以下のステップを含むことを特徴とする衿の編成方法：
ａ）  前身頃の衿ぐり形成時に十分な前下がりが形成できる数のウエールを導入して前身頃の衿ぐりを編成するステップ、
ｂ）  上記衿ぐりを形成した後、前衿ぐりに対峙して概ね同じ数のウエールが後身頃の衿ぐりに残るように肩部において前身頃と後身頃の接合させるステップ、
ｃ）  後衿ぐりの編目を目移しにより隣接する同じ後衿ぐりの編目に重ねることで後衿ぐりのウエール数を減少させるステップ、
ｄ）  上記ステップｃの編成の間に前衿ぐり両側端の少なくとも１つの編目をウエール数が減少した後衿ぐりを係止する針床側に送りこむようにして前後針床間で係止する衿ぐりのウエール数の差が大きくならないようにするステップ、
ｅ）  上記ステップａ）〜ｄ）により形成された衿ぐりに続いて衿を編成するステップ。
好ましくは上記後衿ぐりのウエール数の減少させる編成は、まず衿ぐりの左右一方側が処理され、続いて他方側が処理されるように行い、この衿ぐりの一方側で後衿ぐりのウエール数が減少される際に、他方側において前衿ぐりの側端の編目が後衿ぐりを係止する針床へ一時的に送り、ラッキングにより他方側において前衿ぐりと後衿ぐりの側端の編目が大きく離間し負荷がかかるのを防ぐ編成が挿入される。
また裾から肩方向に向かって前身頃と後身頃が編み幅の両端で接続された筒状体として編成され、前身頃は衿ぐり形成開始箇所以降において分岐して編まれた左右の前身頃を有するとともに前衿ぐりが引き返し編みにより円弧状の切欠部として編まれ、肩部において前身頃と後身頃が接合され、前記前身頃に形成される前衿ぐりと後身頃に形成される後衿ぐりに続いて衿を筒状に連編した横編機によって編まれたシームレスニットウエアにおいて、前記前衿ぐりに対峙して前衿ぐりと概ね同じ数のウエールで後身頃の後衿ぐりが形成され、該後衿ぐりは隣接する編目同士が目移しにより重ねられウエール数が減少されている。
上記したように本発明の編成方法では、前身頃の衿ぐり形成時に十分な前下がりが形成できる数のウエールを導入して前身頃の衿ぐりを編成し、これに対峙して概ね同じ数のウエールが後身頃の衿ぐりが形成される。この後衿ぐりのウエール数は実際に必要なウエール数を越えるもので、この後、後衿ぐりの隣接する編目同士を重ねることでウエール数を減少させて衿ぐりの口径を小さくさせる。これと同時に後衿ぐりに対して前衿ぐりの編目を側端の編目から順に後衿ぐりを係止する針床へ送りこむようにして前後針床間で係止する衿ぐりのウエール数の差が大きくならないようにする。このように後衿ぐりのウエール数を減少させてから続く衿を編成することで前衿ぐりに続いて編まれた前衿は、後衿の衿幅が小さくなった分突っ張ることはなく前下がりがついた衿首となりファッション性が高く、着用時に容易に頭を衿ぐりに通せて着心地の良いニットウエアをシームレスニットできる。
後衿ぐりのウエール数を減少させる編成は、まず衿ぐりの左右一方側が処理され、続いて他方側が処理されるように行い、この衿ぐりの一方側で後衿ぐりのウエール数が減少される際に、他方側において前衿ぐりの側端の編目が後衿ぐりを係止する針床へ一時的に送りこむようにすれば後衿ぐりのウエール数をたくさん減少させたい場合にもラッキングにより他方側において前衿ぐりと後衿ぐりの側端の編目が大きく離間して糸切れが発生するのを防ぐことができる。この衿ぐりのウエール数を減少させる編成は、前身頃と後身頃が肩部分で接合された後の別工程として行うため、身頃や袖などの各パーツ同士の針床上における左右、前後の配置を考慮しながら、且つ前身頃に衿ぐりを形成しながらこれらパーツを如何に一体に編成するかといったことを気にせずにすむ。ニットウエアがベストであろうがセーターであろうが、あるいはラグランやセットインなどの袖のタイプを全く気にすることなくしかも比較的簡単に編成プログラムを作成することができる。また例えば以前作成した編成プログラムを多数所有するような場合でも上記した編成を既存のプログラムに追加するだけでよいので修正が容易である。
また本発明のニットウエアでは、前記前衿ぐりに対峙して前衿ぐりと概ね同じ数のウエールで後衿ぐりが形成されており、この後衿ぐりが隣接する編目同士が重ねられてウエール数を減少させている。そしてこれに続いて衿が連編されているので前衿ぐりに続いて編まれた前衿は、後衿が衿幅を小さくなった分突っ張ることはなくなり前下がりが十分に形成され、ファッション性が高い衿をもつニットウエアとなる。
発明を実施するための最良の形態
次に本発明の好適な実施例を図面と共に以下詳細に説明する。
本実施例では図示しないが上面に夫々多数の編針を列設した針床を歯口を挟んで前後に対峙し、更に各針床の上位に前後一対の針床を設けた所謂４枚ベッド横編機を使用して編成する場合を説明する。横編機は前後の針床が左右にラッキング可能で、前後針床間で目移しが可能に構成される。４枚ベッド横編機ではニットウエアを構成する編地の前側部分を例えば前下針床（以下、ＦＤという）と後上針床（以下、ＢＵという）の針で編成し、後側部分を後下針床（以下、ＢＤという）と前上針床（以下、ＦＵという）の針で編成する。この場合、編地の前側部分を編成する際に編地の後側部分を後下針床に付属（係止）させ、反対に編地の後側部分を編成する際に編地の前側部分を前下針床に付属させて編成することでニットウエアをシームレスに編成する。
図１は本実施例により編成されるニットウエアとしてセーター１を示す。セーター１は袖がセットインタイプで、衿ぐりがＵ字状（円弧状）のラウンドネックである。図２はセーター１を構成する身頃と袖の型紙（編目配列）を示したもので、上がセーター着用時に後側に現れる後側部分となる後身頃２ｂと両袖の後部４ｂ，１４ｂを示し、下は着用時に前側に現れる前側部分で前身頃２ａと両袖の前部４ａ，１４ａを示す。図３にセーター１の各段階の編成の概略を示し、Ｌを開始点として矢印方向に編み進む。セーターのデザインは説明の便宜を図るため平編みの無地とするが、ジャカードやリブ等の組織柄のものであってもよい。
セーター１は脇下部において前身頃２ａの各点Ａ，ａは、前袖部４ａ，１４ａの各点Ｐ，ｐと接合され、後身頃２ｂの各点Ｈ，ｈは後袖部４ｂ，１４ｂの各点Ｓ，ｓと接合される。前身頃２ａの線Ａ−Ｆ−Ｂと袖４ａの線Ｐ−Ｑ、前身頃２ａの線ａ−ｆ−ｂと袖１４ａの線ｐ−ｑが接合される。同様に後身頃２ｂの線Ｈ−Ｉと袖４ｂの線Ｓ−Ｔが接合され、後身頃２ｂの線ｈ−ｉと袖１４ｂの線ｓ−ｔが接合される。前身頃２ａは衿ぐり１０ａが形成される点Ｆ，ｆ以降にかけて後身頃２ｂと異なる形状をしており、右前身頃１５ａと左前身頃５ａとに分岐して編成される。線Ｃ−Ｄ−Ｅ−ｅ−ｄ−ｃは前衿ぐり１０ａで、このＣ−ｃ間には前下がりを形成するため十分なウエール数を有する。そのため肩幅を予め広めにとってＢ−Ｃ，ｂ−ｃ，Ｉ−Ｊ，ｉ−ｊの寸法に影響がでないようにする。後身頃のＪ−ｊ間にはＣ−ｃ間と略同じ数のウエールを有するが、後衿部８ｂを編成する前に後述するウエールの減少が行われ、前衿部８ａに比べ細幅の後衿部８ｂが形成される。
図３のステップＬに示すように身頃２、袖４，１４用にそれぞれ用意した給糸口（不図示）で筒状の裾ゴム６、７、１７の編成を開始する。以降、脇下部に達するまでは、身頃２と袖４，１４を別々の筒状編地として編成する。ステップＭからステップＮでは、前身頃２ａ、後身頃２ｂ、左袖４、右袖１４を一つの筒状体として編成しながらその都度、身頃２と左右の袖４，１４を接合してゆく。ステップＮからはステップＭ〜Ｎの編成に加えて前身頃２ａを左前身頃５ａと右前身頃１５ａとに分岐して編むと同時に身頃と袖を線Ａ−Ｆ−Ｂと線Ｐ−Ｑ、線ａ−ｆ−ｂと線ｐ−ｑで接合して肩まで編成する。この間、前衿ぐり１０ａの線Ｃ−Ｄ−Ｅ−ｅ−ｄ−ｂに沿う周縁の編目を順次不作用状態に置いていく引き返し編みを左右の前身頃５ａ，１５ａで繰り返し行って円弧状の切り欠きを形成する。肩までの編成が終了したときには、左右の前身頃の間には前下がりを形成するために十分なウエールが形成されている。続いて肩部において前身頃２ａの線Ｂ−Ｃと後身頃２ｂの線Ｉ−Ｊ、前身頃２ａの線ｂ−ｃと後身頃２ｂの線ｉ−ｊを接合し、公知の解れ止め手段により伏目処理する。肩部の伏目が終了した時点では、前身頃２ａのＣ−ｃ間には前衿ぐり１０ａの編目が前針床の針に、後身頃２ｂのＪ−ｊ間には後衿ぐり１０ｂの編目が後針床の針にそれぞれ係止されている。
前衿ぐり１０ａには前下がりを形成するのに十分なウエール数があり、これと概ね同数のウエールが後衿ぐり１０ｂに存在している。後身頃２ｂには衿ぐりの下がりが形成されないためこの状態でこれら衿ぐりの編目を係止する針に給糸を行って続く衿８の編成を行うと締まりのないぶかっとした衿が形成されてしまう。そこで注目すべき点は、衿８の編成を開始する前に後衿ぐり１０ｂのウエール数を減少させるとともに、このウエール数が減った後衿ぐり１０ｂに対して前衿ぐり１０ａの側端の編目を送り込む編成が挿入される。
図４〜図８に後衿ぐり１０ｂのウエール数を減少させる編成ステップを示す。ステップＳは肩部の伏目処理が終了したときの各針床における編目の係止状態を示し、前衿ぐり１０ａの編目は前下針床の針ｃ〜Ｅに、後衿ぐり１０ｂの編目は後下針床の針ｃ〜Ｅにそれぞれ係止されている。図では前衿ぐり１０ａの編目を黒丸、後衿ぐり１０ｂの編目を白丸で示している。図に示される針数等は説明の便宜上実際のものよりも少なくしている。本実施例では、後衿ぐり１０ｂのウエール数の減少させる編成は、まず右側の処理から行われ、続いて左側の処理が行われる。このウエール数の減少は、後衿ぐり１０ｂ内の隣接する編目同士を重ねることにより行われ、左右においてそれぞれ４ウエール、計８ウエールが後衿ぐり１０ｂから減少される。ウエール数の減少により前衿ぐり１０ａを係止するＦＤと後衿ぐり１０ｂを係止するＢＤとの間でウエール数の差が生じるためこの差が大きくならないようにこのウエール数を減少させる編成の間に針ｃ，ｄ，Ｄ，Ｅに係止される前衿ぐり１０ａの編目がＢＤへ送る編成が並行して行われる。
まずステップ１〜７について説明する。これらステップは後衿ぐり１０ｂの右側のウエール数を減少させる編成ステップを示す。ステップ１では、ＢＤの針ｔ〜Ｅに係止される後衿ぐり１０ｂの編目をＦＵに目移しする。ステップ２では、ＦＤ，ＦＵを左へ１針分ラッキングして針ｔ，ｕ，ｖに係止される編目をＢＤの対向する針ｓ，ｔ，ｕに移して針ｓに重ね目２１を形成する。ステップ３では、ＦＤ，ＦＵをステップ１の状態から更に左へ２針分、ステップ４では３針分、ステップ５では４針分ラッキングして後衿ぐり１０ｂの編目を図示のように目移しすることで針ｕ，ｗ，ｙに重ね目２２，２３，２４を形成して後衿ぐり１０ｂのウエール数を４つ減少させる。この編成の間に前衿ぐり１０ａのＦＤの針ｃ，ｄに係止される編目３７，３８をステップ２，４においてＢＤの針ｂ，ａに目移しする。これは前後針床が横方向に大きく相対移動しても側端において前衿ぐり１０ａと後衿ぐり１０ｂの編目に大きな負荷がかかって糸切れが発生するのを防ぐためのものである。ステップ６とステップ７は、上記した編成によりウエール数が４つ減少した後衿ぐり１０ｂを係止するＢＤと前衿ぐり１０ａを係止するＦＤとの間でウエール数の差が生じ、前後針床間で編目間が大きく離間しないようにＦＤの針Ｅ，Ｄに係止される前衿ぐり１０ａの編目２７，２８をＢＤへ送る編成を示し、ステップ６は左３針、ステップ７は左１針のラッキングで行われる。これと同時に衿ぐりの左側端において先のステップ２とステップ４でＢＤへ移された前衿ぐり１０ａの編目３７，３８がＦＤに戻される。ステップ８は、後衿ぐり１０ｂの右側のウエール数の減少が完了した状態の針床における編目の係止状態を示し、後衿ぐり１０ｂの右側において１本置きの針ｓ，ｕ，ｗ，ｙに重ね目２１〜２４が形成されるとともに前衿ぐり１０ａの右側端の編目２７，２８がＢＤへ送られているのがわかる。
次にステップ９〜１６において後衿ぐり１０ｂの左側のウエール数を減少させる編成が上記と同じような編成により行われる。まずステップ９では、ＢＤの針ｃ〜ｎに係止される編目をＦＵに目移しする。ステップ１０では、ＦＤ，ＦＵを右へ１針分ラッキングして針ｌ，ｍ，ｎに係止される編目をＢＤの対応する針ｍ，ｎ，ｏに移して針ｏに重ね目３１を形成する。ステップ１１では、ＦＤ，ＦＵを２針分、ステップ１２では３針分、ステップ１３では４針分ラッキングして編目を図示のように目移しすることで針ｍ，ｋ，ｉに重ね目３２，３３，３４を形成して後衿ぐり１０ｂの左側においてウエール数を４つ減少させる。ステップ１０，１２は、先のステップ２，４の編成に対応し、ＦＤの針Ｃ，Ｄに係止される前衿ぐり１０ａの側端の編目４１，４２をＢＤの針に目移して糸切れの発生を防ぐ。ステップ１４，１５はステップ６，７の編成に対応し、編目３７，３８をＢＤへ送ることで後衿ぐり１０ｂを係止するＢＤと前衿ぐり１０ａを係止するＦＤとの間でウエール数に大きな差を生じないようにする。そしてこれと同時に衿ぐり１０ａの右側端において先のステップ１０とステップ１２でＢＤへ移された前衿ぐりの編目４１，４２がＦＤに戻される。
ステップ１６は、後衿ぐり１０ｂのウエール数を減少するための編成が完了した状態の針床における編目の係止状態を示し、後衿ぐり１０ｂの左側の１本置きの針ｉ，ｋ，ｍ，ｏ、と右側の１本置きの針ｓ，ｕ，ｗ，ｙに重ね目が８個形成されるとともに前衿ぐり１０ａの左右の側端の編目が２つづつＢＤへ送られた状態になっている。そしてステップ１７において衿８の編成が行われる。これはＢＤの針ｅ〜Ｃ、次にＦＤの針Ｃ〜ｅに周回給糸する編成を繰り返し行うことで所望丈の筒状編成される衿８を得る。
このようにして肩部の伏目処理が終わった際に十分なウエール数をもつ前衿ぐり１０ａに対峙して後衿ぐり１０ｂを実際の衿の編成に必要なウエール数よりも多めにとっておき、この後衿ぐり１０ｂの隣接する編目同士を重ねることでウエール数を減少させて幅の小さい衿ぐりとする。そしてこの幅の小さくなった後衿ぐり１０ｂに対して十分なウエール数でもって形成された前衿ぐり１０ａの編目を側端の編目から順に後針床へ送って後衿ぐり挟むようにして衿ぐり１０の周長を減少させる。そしてこれに続いて衿８を編成するので前衿ぐり１０ａの点Ｃとｃは衿８が編成された時点では、互いに接近して配置されることになる。その結果、前衿ぐり１０ａは突っ張ることはなく、前下がりも十分についた衿首のニットウエアを得ることができる。またこの方法では衿ぐりを挟む左右の前身頃を前述した公報のように目移しを行いながら外に移動させることがないので引き返し編成を多回数できより十分な前下がりを形成することが可能となる。また後衿ぐりのウエール数を重ね目を形成して減少させることで衿ぐりの伸び止め効果を発揮できる。
本発明は、比較的短い衿丈を有する衿を編成する場合や、片畦組織や２×２リブなど衿が衿幅方向にボリュームのでる編み方や、増し糸して衿を太めに編むような場合により効果的で美しいシルエットを形成することを許容する。
なお４枚ベッド横編機に代えて２枚ベッド横編機によって上記編成を行う場合には、例えば針床の奇数番目の針を前身頃用、偶数番目の針を後身頃用として前後針床のそれぞれ１本置きの針を使用して行う。前身頃を編成する際に後身頃を後針床に付属させ、反対に後身頃を編成する際に前身頃を前針床に付属させて各編地を前後に重ね合わせた状態で編成することでそれぞれの編地は、目移し用の空針を対向する針床上に常に確保でき、この空針を使うことでリンクス、ガーター、リブなどの表目／裏目が混在した組織柄を編成したり、編目を横方向に移動させることができる。
また特開平１１−４３８４９号公報に開示される編目ループの預け置き方法、いわゆるホールディング技術を利用すれば２枚ベッド横編機の場合でも目移し用の空針を予め確保する必要がなくなるので１本置きの針を使用するといった制約がなくなり４枚ベッド横編機のように全針を使って編成することができる。但しこの場合にはスライドニードルとよばれる針を装備した編機が必要となる。
また、上記した実施例では、後衿ぐりのウエールを針ｑを中心とし、左右において１本置きに重ね目を形成することで減少させたが、これに限られるものではなく、後衿ぐりのウエール数と減少させたいウエール数により適宜変更可能である。また、減らされるウエール数が増えるに連れて後針床へ送られる前衿ぐりの編目数は増える。
【図面の簡単な説明】
図１はニットウエアとしてラウンドネックのセーターを示した図、図２は上記セーターを構成する各パーツを横編機上で編成される状態を示した図、図３はセーターの各段階における編成の概略を示した図、図４は後衿ぐりのウエール数を減少させる編成のステップＳ〜３を示した図、図５は後衿ぐりのウエール数を減少させる編成のステップ４〜７を示した図、図６は後衿ぐりのウエール数を減少させる編成のステップ８〜１１を示した図、図７は後衿ぐりのウエール数を減少させる編成のステップ１２〜１５を示した図、図８は後衿ぐりのウエール数を減少させる編成のステップ１６〜１７を示した図、そして図９は従来例によるセーターを構成する各パーツを横編機上で編成される状態を示す。
【図１】
0003949575.tif 000002
【図２】
0003949575.tif 000003
【図３】
0003949575.tif 000004
【図４】
0003949575.tif 000005
【図５】
0003949575.tif 000006
【図６】
0003949575.tif 000007
【図７】
0003949575.tif 000008
【図８】
0003949575.tif 000009
【図９】
0003949575.tif 000010